(57)【要約】【課題】印刷物の利用環境に応じた印刷設定を行うことにより、その利用環境に適応した耐性の優れた印刷物を生成する。【解決手段】ユーザから送信される印刷データに含まれる印刷ジョブ定義データを取得する印刷ジョブ定義データ取得部１１と、印刷物を利用する場所に配置され、当該利用する場所の環境に関する利用環境情報を検知する利用環境情報検知部１３と、利用環境情報検知部１３により検知された利用環境情報を無線通信を介して取得する利用環境情報取得部１２と、印刷ジョブ定義データ取得部１１により取得した印刷ジョブ定義データが、利用環境情報に適しているか否かを評価する利用環境一致度評価部１４と、利用環境一致度評価部１４による評価結果に基づいて、印刷を実行すると判断した場合に、印刷ジョブ定義データを出力する印刷ジョブ定義データ出力部１７とを備える。【選択図】図１
2008181449.tif 000002
【特許請求の範囲】
【請求項１】
ユーザから送信される印刷データに含まれる印刷ジョブ定義データを取得する印刷ジョ
ブ定義データ取得部と、
印刷物を利用する場所の環境に関する利用環境情報を取得する利用環境情報取得部と、
前記印刷ジョブ定義データ取得部により取得した印刷ジョブ定義データが、前記利用環
境情報取得部により取得した利用環境情報に適しているか否かを評価する利用環境一致度
評価部と、
前記利用環境一致度評価部による評価結果に基づいて、印刷を実行すると判断した場合
に、前記印刷ジョブ定義データを出力する印刷ジョブ定義データ出力部と、
を備えたことを特徴とする印刷支援システム。
【請求項２】
前記印刷物を利用する場所に配置され、前記利用環境情報を検知し、無線通信を介して
当該利用環境情報を前記利用環境情報取得部に送る利用環境情報検知部を備えたことを特
徴とする請求項１に記載の印刷支援システム。
【請求項３】
前記利用環境一致度評価部が前記印刷ジョブ定義データが前記利用環境情報に適してい
るかどうかを評価する際の基準となる情報をデータベース化した評価情報データベースを
有することを特徴とする請求項１に記載の印刷支援システム。
【請求項４】
前記利用環境一致度評価部は、前記印刷ジョブ定義データが前記利用環境情報に適して
いると評価する場合の閾値を予め定め、前記閾値以上の場合に印刷を実行すると判断する
ことを特徴とする請求項３に記載の印刷支援システム。
【請求項５】
前記利用環境情報検知部は、印刷物を利用する場所に配置されたセンサー装置、測定機
器、又はカメラであることを特徴とする請求項２に記載の印刷支援システム。
【請求項６】
前記センサー装置は、温度センサー、湿度センサー、照度センサー、又は磁気センサー
であることを特徴とする請求項５に記載の印刷支援システム。
【請求項７】
前記測定機器は、色度計、気圧計、風力計、風速計、電圧計、又は電流計であることを
特徴とする請求項６に記載の印刷支援システム。
【請求項８】
前記利用環境一致度評価部が、前記印刷ジョブ定義データが利用環境情報に適していな
いと判断した場合に、その判断結果を前記ユーザに提示して通知するユーザ提示部をさら
に備えたことを特徴とする請求項１〜７のいずれか１項に記載の印刷支援システム。
【請求項９】
ユーザから送信される印刷データに含まれる印刷ジョブ定義データを取得する印刷ジョ
ブ定義データ取得ステップと、
印刷物を利用する場所の環境に関する利用環境情報を取得する利用環境情報取得ステッ
プと、
前記印刷ジョブ定義データ取得部により取得した印刷ジョブ定義データが、前記利用環
境情報取得部により取得した利用環境情報に適しているか否かを評価する利用環境一致度
評価ステップと、
前記利用環境一致度評価部による評価結果に基づいて、印刷を実行すると判断した場合
に、前記印刷ジョブ定義データを出力する印刷ジョブ定義データ出力ステップと、
を含むことを特徴とする印刷支援方法。
【請求項１０】
ユーザから送信される印刷データに含まれる印刷ジョブ定義データを取得する印刷ジョ
ブ定義データ取得ステップ、
印刷物を利用する場所の環境に関する利用環境情報を取得する利用環境情報取得ステッ
プ、
前記印刷ジョブ定義データ取得部により取得した印刷ジョブ定義データが、前記利用環
境情報取得部により取得した利用環境情報に適しているか否かを評価する利用環境一致度
評価ステップ、及び
前記利用環境一致度評価部による評価結果に基づいて、印刷を実行すると判断した場合
に、前記印刷ジョブ定義データを出力する印刷ジョブ定義データ出力ステップとして実現
される処理をコンピュータに実行させることを特徴とする印刷支援プログラム。
【請求項１１】
ユーザから送信される印刷データに含まれる印刷ジョブ定義データを取得する印刷ジョ
ブ定義データ取得部と、
印刷物を利用する場所の環境に関する利用環境情報を取得する利用環境情報取得部と、
前記印刷ジョブ定義データ取得部により取得した印刷ジョブ定義データが、前記利用環
境情報取得部により取得した利用環境情報に適しているか否かを評価する利用環境一致度
評価部と、
前記利用環境一致度評価部による評価結果に基づいて、印刷を実行すると判断した場合
に、前記印刷ジョブ定義データを出力する印刷ジョブ定義データ出力部と、
前記印刷ジョブ定義データ出力部より出力された印刷ジョブ定義データに基づいて印刷
を実行する印刷部と、
を備えたことを特徴とする印刷システム。
【請求項１２】
ユーザから送信される印刷データに含まれる印刷ジョブ定義データを取得する印刷ジョ
ブ定義データ取得ステップと、
印刷物を利用する場所の環境に関する利用環境情報を取得する利用環境情報取得ステッ
プと、
前記印刷ジョブ定義データ取得部により取得した印刷ジョブ定義データが、前記利用環
境情報取得部により取得した利用環境情報に適しているか否かを評価する利用環境一致度
評価ステップと、
前記利用環境一致度評価部による評価結果に基づいて、印刷を実行すると判断した場合
に、前記印刷ジョブ定義データを出力する印刷ジョブ定義データ出力ステップと、
前記印刷ジョブ定義データ出力ステップより出力された印刷ジョブ定義データに基づい
て印刷を実行する印刷ステップと、
を含むことを特徴とする印刷方法。
【請求項１３】
ユーザから送信される印刷データに含まれる印刷ジョブ定義データを取得する印刷ジョ
ブ定義データ取得ステップ、
印刷物を利用する場所の環境に関する利用環境情報を取得する利用環境情報取得ステッ
プ、
前記印刷ジョブ定義データ取得部により取得した印刷ジョブ定義データが、前記利用環
境情報取得部により取得した利用環境情報に適しているか否かを評価する利用環境一致度
評価ステップ、
前記利用環境一致度評価部による評価結果に基づいて、印刷を実行すると判断した場合
に、前記印刷ジョブ定義データを出力する印刷ジョブ定義データ出力ステップ、及び
前記印刷ジョブ定義データ出力ステップより出力された印刷ジョブ定義データに基づい
て印刷を実行する印刷ステップとして実現される処理をコンピュータに実行させることを
特徴とする印刷プログラム。
【請求項１４】
請求項１０記載の印刷支援プログラム、又は請求項１３記載の印刷プログラムを記録し
たことを特徴とするコンピュータ読み取り可能な記録媒体。
【発明の詳細な説明】
【技術分野】
【０００１】
本発明は、環境を考慮して印刷設定を行うことにより環境に適した印刷を行うための印
刷支援システム、印刷支援方法、印刷支援プログラム、印刷システム、印刷方法、印刷プ
ログラム、及び記録媒体に関する。
【背景技術】
【０００２】
一般に、ＰｏｓｔＳｃｒｉｐｔ（米国Ａｄｏｂｅ  Ｓｙｓｔｅｍｓ社の商標）などのペ
ージ記述言語（ＰＤＬ：Ｐａｇｅ  Ｄｅｓｃｒｉｐｔｉｏｎ  Ｌａｎｇｕａｇｅ）による
印刷データをプリントする際、印刷ジョブに関する情報を印刷ジョブ定義データ（ＤＰＡ
（Ｄｏｃｕｍｅｎｔ  Ｐｒｉｎｔｉｎｇ  Ａｐｐｌｉｃａｔｉｏｎ）、ＪＤＦ（Ｊｏｂ  
Ｄｅｆｉｎｉｔｉｏｎ  Ｆｏｒｍａｔ）等として扱い、印刷制御する方法が知られている
。
【０００３】
また、上述した印刷ジョブ定義データを用いて、印刷時における印刷装置の周囲の環境
を考慮して印刷設定を行う装置も提案されている。このように印刷環境を考慮して印刷設
定を行う装置として、特許文献１に記載の電子写真プロセス制御装置がある。この装置は
、画像形成のための最適操作料を決定する画像形成プロセス制御装置であって、画像形成
装置内の各部分の状態を計測する計測部と、上記計測部から得られた情報を所定の状態を
表すパラメータに変換する前処理部と、予め所定の学習をさせておいたニューラル・ネッ
トワークで構成され、その入力層に上記パラメータ及び操作量に関する情報を入力し、そ
の出力層から上記画像形成装置内の特定部分の予測状態を出力させる状態予測部と上記状
態予測部の出力と上記特定部分の目標状態との比較を行う状態比較部と上記状態比較部の
比較結果に基づいて現在の操作量からの操作量の差分料を生成し上記状態予測部に送出し
、上記比較結果が収束した場合にはその差分量を現在の操作値に加えた量を最適操作量と
して決定する操作量決定部とを有する装置である。
【特許文献１】特開平５−７２８５９号公報
【発明の開示】
【発明が解決しようとする課題】
【０００４】
しかしながら、上記特許文献１記載の発明などは、センサーを備えてはいるが、センサ
ーによって得られた情報を元に、印刷時における印刷環境に合わせた制御を行うものとな
っており、印刷時における印刷装置の周囲の環境は考慮されているが、後日、この印刷装
置により印刷された印刷物を利用するときの利用環境を考慮して印刷設定を行っているも
のではなかった。
【０００５】
従って、乾燥した場所、湿気の多いところ、光のまぶしいところ、暗いところなどの利
用環境に応じて、印刷物の耐性が大きく変動し、その印刷物を利用できる期間も大きく変
動していた。その理由は、印刷時に得られた情報に基づいて印刷物を生成しても、印刷物
を実際に利用する場所は、印刷制御装置の設置場所とは異なるため、実際に印刷物を利用
する環境においては、全く意味のない印刷設定となるからである。
【０００６】
このため、印刷時には何も問題がなくても、後日、印刷物を利用するとき、利用する場
所が多湿の場所にも拘らず水分に弱い用紙を用いたり、極めて暗い場所で利用するにも拘
らず黒っぽい用紙で黒いインクを使用したり、風力の強い場所で利用するにも拘らずティ
ッシュような強度の弱い用紙に印刷したりして、種々の不都合な問題が発生していた。
本発明は、上述した事情を鑑みてなされたものであって、印刷物の利用環境に応じた印
刷設定を行うことにより、その利用環境に適応した耐性の優れた印刷物を生成する印刷支
援システム、印刷支援方法、印刷支援プログラム、印刷システム、印刷方法、印刷プログ
ラム、及び記録媒体を提供することを目的としている。
【課題を解決するための手段】
【０００７】
〔形態１〕  上記目的を達成するために、形態１の印刷支援システムは、
ユーザから送信される印刷データに含まれる印刷ジョブ定義データを取得する印刷ジョ
ブ定義データ取得部と、
印刷物を利用する場所の環境に関する利用環境情報を取得する利用環境情報取得部と、
前記印刷ジョブ定義データ取得部により取得した印刷ジョブ定義データが、前記利用環
境情報取得部により取得した利用環境情報に適しているか否かを評価する利用環境一致度
評価部と、
前記利用環境一致度評価部による評価結果に基づいて、印刷を実行すると判断した場合
に、前記印刷ジョブ定義データを出力する印刷ジョブ定義データ出力部と、
を備えたことを特徴とする。
【０００８】
この構成によれば、利用環境情報取得部が、印刷物を利用する場所の環境に関する利用
環境情報を取得し、利用環境一致度評価部が、前記印刷ジョブ定義データ取得部により取
得した印刷ジョブ定義データが、前記利用環境情報取得部により取得した利用環境情報に
適しているか否かを評価し、前記利用環境一致度評価部による評価結果に基づいて、印刷
を実行するか否かを判断するので、印刷物の利用環境に応じた印刷設定を行うことができ
、その利用環境に適応した耐性の優れた印刷物を生成することができるという効果が得ら
れる。
【０００９】
〔形態２〕  形態２の発明は、形態１の印刷支援システムに係り、
前記印刷物を利用する場所に配置され、前記利用環境情報を検知し、無線通信を介して
当該利用環境情報を前記利用環境情報取得部に送る利用環境情報検知部を備えたことを特
徴とする。
この構成によれば、利用環境情報検知部は、前記印刷物を利用する場所に配置され、前
記利用環境情報を検知し、当該利用環境情報は前記利用環境情報検知部から無線通信を介
して前記利用環境情報取得部に送られるので、実際に印刷物を利用する場所における利用
環境情報を得ることができ、その利用環境にリアルタイムに適応した印刷物を生成するこ
とができるという効果が得られる。
【００１０】
〔形態３〕  形態３の発明は、形態１の印刷支援システムに係り、
前記利用環境一致度評価部が前記印刷ジョブ定義データが前記利用環境情報に適してい
るかどうかを評価する際の基準となる情報をデータベース化した評価情報データベースを
有することを特徴とする。
この構成によれば、前記利用環境一致度評価部が、前記印刷ジョブ定義データが前記利
用環境情報に適しているかどうかを評価する際の基準となる情報評価情報データベースを
有することにより、コンピュータにより自動的に評価することができ、従って、客観的な
評価をすることができるという効果が得られる。
【００１１】
〔形態４〕  形態４の発明は、形態３の印刷支援システムに係り、
前記利用環境一致度評価部は、前記印刷ジョブ定義データが前記利用環境情報に適して
いると評価する場合の閾値を予め定め、前記閾値以上の場合に印刷を実行すると判断する
ことを特徴とする。
この構成によれば、前記利用環境一致度評価部は、前記印刷ジョブ定義データが前記利
用環境情報に適していると評価する場合の閾値を予め定め、前記閾値以上の場合に印刷を
実行すると判断するので、印刷物の利用環境に応じていない印刷設定を行うことはなく、
適正な判断をすることができるという効果が得られる。
【００１２】
〔形態５〕  形態５の発明は、形態２の印刷支援システムに係り、
前記利用環境情報検知部は、印刷物を利用する場所に配置されたセンサー装置、測定機
器、又はカメラであることを特徴とする。
この構成によれば、前記利用環境情報検知部は、印刷物を利用する場所に配置されたセ
ンサー装置、測定機器、又はカメラであるので、センサー装置又は測定機器を使用する場
合は、そのまま感知あるいは測定したデータを無線通信を介して利用環境情報取得部に送
信することができ、カメラを使用した場合は、その画像を無線通信を介して利用環境情報
取得部に送信することができ、利用環境情報取得部では、リアルタイムに利用環境情報を
取得できるという効果が得られる。
【００１３】
〔形態６〕  形態６の発明は、形態５の印刷支援システムに係り、
前記センサー装置は、温度センサー、湿度センサー、照度センサー、又は磁気センサー
であることを特徴とする。
この構成によれば、形態５と同様の効果が得られる。
〔形態７〕  形態７の発明は、形態５の印刷支援システムに係り、
前記測定機器は、色度計、気圧計、風力計、風速計、電圧計、又は電流計であることを
特徴とする。
この構成によれば、形態５と同様の効果が得られる。
【００１４】
〔形態８〕  形態８の発明は、形態１〜７のいずれか１の印刷支援システムに係り、
前記利用環境一致度評価部が、前記印刷ジョブ定義データが利用環境情報に適していな
いと判断した場合に、その判断結果を前記ユーザに提示して通知するユーザ提示部をさら
に備えたことを特徴とする。
この構成によれば、前記利用環境一致度評価部が、前記印刷ジョブ定義データが利用環
境情報に適していないと判断した場合に、ユーザ提示部がその判断結果を前記ユーザに提
示して通知することにより、ユーザ側にすれば、要求したコンテンツが印刷されないとい
う不測の事態を防ぐことができるという効果が得られる。
【００１５】
〔形態９〕  上記目的を達成するために、形態９の印刷支援方法は、
ユーザから送信される印刷データに含まれる印刷ジョブ定義データを取得する印刷ジョ
ブ定義データ取得ステップと、
印刷物を利用する場所の環境に関する利用環境情報を取得する利用環境情報取得ステッ
プと、
前記印刷ジョブ定義データ取得部により取得した印刷ジョブ定義データが、前記利用環
境情報取得部により取得した利用環境情報に適しているか否かを評価する利用環境一致度
評価ステップと、
前記利用環境一致度評価ステップによる評価結果に基づいて、印刷を実行すると判断し
た場合に、前記印刷ジョブ定義データを出力する印刷ジョブ定義データ出力ステップと、
を含むことを特徴とする。
【００１６】
この構成によれば、利用環境情報取得ステップが、印刷物を利用する場所の環境に関す
る利用環境情報を取得し、利用環境一致度評価ステップが、前記印刷ジョブ定義データ取
得ステップにより取得した印刷ジョブ定義データが、前記利用環境情報取得ステップによ
り取得した利用環境情報に適しているか否かを評価し、前記利用環境一致度評価ステップ
による評価結果に基づいて、印刷を実行するか否かを判断するので、印刷物の利用環境に
応じた印刷設定を行うことができ、その利用環境に適応した耐性の優れた印刷物を生成す
ることができるという効果が得られる。
【００１７】
〔形態１０〕  形態１０の発明は、形態９の印刷支援方法に係り、
前記印刷物を利用する場所に配置され、前記利用環境情報を検知し、無線通信を介して
当該利用環境情報を前記利用環境情報取得ステップに送る利用環境情報検知ステップを含
むことを特徴とする。
この構成によれば、利用環境情報検知ステップは、前記印刷物を利用する場所に配置さ
れ、前記利用環境情報を検知し、当該利用環境情報は前記利用環境情報検知ステップから
無線通信を介して当該利用環境情報を前記利用環境情報取得ステップに送るので、実際に
印刷物を利用する場所における利用環境情報を得ることができ、その利用環境にリアルタ
イムに適応した印刷物を生成することができるという効果が得られる。
【００１８】
〔形態１１〕  形態１１の発明は、形態９の印刷支援方法に係り、
前記利用環境一致度評価ステップが前記印刷ジョブ定義データが前記利用環境情報に適
しているかどうかを評価する際の基準となる情報をデータベース化した評価情報データベ
ースを有することを特徴とする。
この構成によれば、前記利用環境一致度評価ステップが、前記印刷ジョブ定義データが
前記利用環境情報に適しているかどうかを評価する際の基準となる情報評価情報データベ
ースを有することにより、コンピュータにより自動的に評価することができ、従って、客
観的な評価をすることができるという効果が得られる。
【００１９】
〔形態１２〕  形態１２の発明は、形態１１の印刷支援方法に係り、
前記利用環境一致度評価ステップは、前記印刷ジョブ定義データが前記利用環境情報に
適していると評価する場合の閾値を予め定め、前記閾値以上の場合に印刷を実行すると判
断することを特徴とする。
この構成によれば、前記利用環境一致度評価ステップは、前記印刷ジョブ定義データが
前記利用環境情報に適していると評価する場合の閾値を予め定め、前記閾値以上の場合に
印刷を実行すると判断するので、印刷物の利用環境に応じていない印刷設定を行うことは
なく、適正な判断をすることができるという効果が得られる。
【００２０】
〔形態１３〕  形態１３の発明は、形態１０の印刷支援方法に係り、
前記利用環境情報検知ステップは、印刷物を利用する場所に配置されたセンサー装置、
測定機器、又はカメラを用いることを特徴とする。
この構成によれば、前記利用環境情報検知ステップは、印刷物を利用する場所に配置さ
れたセンサー装置、測定機器、又はカメラを用いるので、センサー装置又は測定機器を使
用する場合は、そのまま感知あるいは測定したデータを無線通信を介して利用環境情報取
得ステップに送信することができ、カメラを使用した場合は、その画像を無線通信を介し
て利用環境情報取得ステップに送信することができ、利用環境情報取得ステップでは、リ
アルタイムに利用環境情報を取得できるという効果が得られる。
【００２１】
〔形態１４〕  形態１４の発明は、形態１３の印刷支援方法に係り、
前記センサー装置は、温度センサー、湿度センサー、照度センサー、又は磁気センサー
であることを特徴とする。
この構成によれば、形態１３と同様の効果が得られる。
〔形態１５〕  形態１５の発明は、形態１３の印刷支援方法に係り、
前記測定機器は、色度計、気圧計、風力計、風速計、電圧計、又は電流計であることを
特徴とする。
この構成によれば、形態１３と同様の効果が得られる。
【００２２】
〔形態１６〕  形態１６の発明は、形態９〜１５のいずれか１の印刷支援方法に係り、
前記利用環境一致度評価ステップが、前記印刷ジョブ定義データが利用環境情報に適し
ていないと判断した場合に、その判断結果を前記ユーザに提示して通知するユーザ提示ス
テップをさらに備えたことを特徴とする。
この構成によれば、前記利用環境一致度評価ステップが、前記印刷ジョブ定義データが
利用環境情報に適していないと判断した場合に、ユーザ提示ステップがその判断結果を前
記ユーザに提示して通知することにより、ユーザ側にすれば、要求したコンテンツが印刷
されないという不測の事態を防ぐことができるという効果が得られる。
【００２３】
〔形態１７〕  上記目的を達成するために、形態１７の印刷支援プログラムは、
ユーザから送信される印刷データに含まれる印刷ジョブ定義データを取得する印刷ジョ
ブ定義データ取得ステップ、
印刷物を利用する場所の環境に関する利用環境情報を取得する利用環境情報取得ステッ
プ、
前記印刷ジョブ定義データ取得部により取得した印刷ジョブ定義データが、前記利用環
境情報取得部により取得した利用環境情報に適しているか否かを評価する利用環境一致度
評価ステップ、
前記利用環境一致度評価部による評価結果に基づいて、印刷を実行すると判断した場合
に、前記印刷ジョブ定義データを出力する印刷ジョブ定義データ出力ステップとして実現
される処理をコンピュータに実行させることを特徴とする。
【００２４】
この構成によれば、利用環境情報取得ステップが、印刷物を利用する場所の環境に関す
る利用環境情報を取得し、利用環境一致度評価ステップが、前記印刷ジョブ定義データ取
得ステップにより取得した印刷ジョブ定義データが、前記利用環境情報取得ステップによ
り取得した利用環境情報に適しているか否かを評価し、前記利用環境一致度評価ステップ
による評価結果に基づいて、印刷を実行するか否かを判断するので、印刷物の利用環境に
応じた印刷設定を行うことができ、その利用環境に適応した耐性の優れた印刷物を生成す
ることができるという効果が得られる。
【００２５】
〔形態１８〕  形態１８の発明は、形態１７の印刷支援プログラムに係り、
前記印刷物を利用する場所に配置され、前記利用環境情報を検知し、無線通信を介して
当該利用環境情報を前記利用環境情報取得ステップに送る利用環境情報検知ステップを含
むことを特徴とする。
この構成によれば、利用環境情報検知ステップは、前記印刷物を利用する場所に配置さ
れ、前記利用環境情報を検知し、当該利用環境情報は前記利用環境情報検知ステップから
無線通信を介して当該利用環境情報を前記利用環境情報取得ステップに送るので、実際に
印刷物を利用する場所における利用環境情報を得ることができ、その利用環境にリアルタ
イムに適応した印刷物を生成することができるという効果が得られる。
【００２６】
〔形態１９〕  形態１９の発明は、形態１７の印刷支援プログラムに係り、
前記利用環境一致度評価ステップが前記印刷ジョブ定義データが前記利用環境情報に適
しているかどうかを評価する際の基準となる情報をデータベース化した評価情報データベ
ースを有することを特徴とする。
この構成によれば、前記利用環境一致度評価ステップが、前記印刷ジョブ定義データが
前記利用環境情報に適しているかどうかを評価する際の基準となる情報評価情報データベ
ースを有することにより、コンピュータにより自動的に評価することができ、従って、客
観的な評価をすることができるという効果が得られる。
【００２７】
〔形態２０〕  形態２０の発明は、形態１９の印刷支援プログラムに係り、
前記利用環境一致度評価ステップは、前記印刷ジョブ定義データが前記利用環境情報に
適していると評価する場合の閾値を予め定め、前記閾値以上の場合に印刷を実行すると判
断することを特徴とする。
この構成によれば、前記利用環境一致度評価ステップは、前記印刷ジョブ定義データが
前記利用環境情報に適していると評価する場合の閾値を予め定め、前記閾値以上の場合に
印刷を実行すると判断するので、印刷物の利用環境に応じていない印刷設定を行うことは
なく、適正な判断をすることができるという効果が得られる。
【００２８】
〔形態２１〕  形態２１の発明は、形態１８の印刷支援プログラムに係り、
前記利用環境情報検知ステップは、印刷物を利用する場所に配置されたセンサー装置、
測定機器、又はカメラを用いることを特徴とする。
この構成によれば、前記利用環境情報検知ステップは、印刷物を利用する場所に配置さ
れたセンサー装置、測定機器、又はカメラを用いるので、センサー装置又は測定機器を使
用する場合は、そのまま感知あるいは測定したデータを無線通信を介して利用環境情報取
得ステップに送信することができ、カメラを使用した場合は、その画像を無線通信を介し
て利用環境情報取得ステップに送信することができ、利用環境情報取得ステップでは、リ
アルタイムに利用環境情報を取得できるという効果が得られる。
【００２９】
〔形態２２〕  形態２２の発明は、形態２１の印刷支援プログラムに係り、
前記センサー装置は、温度センサー、湿度センサー、照度センサー、又は磁気センサー
であることを特徴とする。
この構成によれば、形態２１と同様の効果が得られる。
〔形態２３〕  形態２３の発明は、形態２１の印刷支援プログラムに係り、
前記測定機器は、色度計、気圧計、風力計、風速計、電圧計、又は電流計であることを
特徴とする。
この構成によれば、形態２１と同様の効果が得られる。
【００３０】
〔形態２４〕  形態２４の発明は、形態１７〜２３のいずれか１の印刷支援プログラム
に係り、
前記利用環境一致度評価ステップが、前記印刷ジョブ定義データが利用環境情報に適し
ていないと判断した場合に、その判断結果を前記ユーザに提示して通知するユーザ提示ス
テップをさらに備えたことを特徴とする。
この構成によれば、前記利用環境一致度評価ステップが、前記印刷ジョブ定義データが
利用環境情報に適していないと判断した場合に、ユーザ提示ステップがその判断結果を前
記ユーザに提示して通知することにより、ユーザ側にすれば、要求したコンテンツが印刷
されないという不測の事態を防ぐことができるという効果が得られる。
【００３１】
〔形態２５〕  上記目的を達成するために、形態２５の印刷システムは、
ユーザから送信される印刷データに含まれる印刷ジョブ定義データを取得する印刷ジョ
ブ定義データ取得部と、
印刷物を利用する場所の環境に関する利用環境情報を取得する利用環境情報取得部と、
前記印刷ジョブ定義データ取得部により取得した印刷ジョブ定義データが、前記利用環
境情報取得部により取得した利用環境情報に適しているか否かを評価する利用環境一致度
評価部と、
前記利用環境一致度評価部による評価結果に基づいて、印刷を実行すると判断した場合
に、前記印刷ジョブ定義データを出力する印刷ジョブ定義データ出力部と、
前記印刷ジョブ定義データ出力部より出力された印刷ジョブ定義データに基づいて印刷
を実行する印刷部と、を備えたことを特徴とする。
【００３２】
この構成によれば、利用環境情報検知部が、印刷物を利用する場所に配置され、当該利
用する場所の環境に関する利用環境情報を検知すると、利用環境情報取得部が、前記利用
環境情報検知部により検知された利用環境情報を無線通信を介して取得し、利用環境一致
度評価部が、前記印刷ジョブ定義データ取得部により取得した印刷ジョブ定義データが、
前記利用環境情報取得部により取得した利用環境情報に適しているか否かを評価し、前記
利用環境一致度評価部による評価結果に基づいて、印刷を実行するか否かを判断するので
、印刷物の利用環境に応じた印刷設定を行うことができ、その利用環境に適応した耐性の
優れた印刷物を生成することができるという効果が得られる。
【００３３】
〔形態２６〕  形態２６の発明は、形態２５の印刷システムに係り、
前記印刷物を利用する場所に配置され、前記利用環境情報を検知し、無線通信を介して
当該利用環境情報を前記利用環境情報取得部に送る利用環境情報検知部を備えたことを特
徴とする。
この構成によれば、利用環境情報検知部は、前記印刷物を利用する場所に配置され、前
記利用環境情報を検知し、当該利用環境情報は前記利用環境情報検知部から無線通信を介
して前記利用環境情報取得部に送られるので、実際に印刷物を利用する場所における利用
環境情報を得ることができ、その利用環境にリアルタイムに適応した印刷物を生成するこ
とができるという効果が得られる。
【００３４】
〔形態２７〕  形態２７の発明は、形態２５の印刷システムに係り、
前記利用環境一致度評価部が前記印刷ジョブ定義データが前記利用環境情報に適してい
るかどうかを評価する際の基準となる情報をデータベース化した評価情報データベースを
有することを特徴とする。
この構成によれば、前記利用環境一致度評価部が、前記印刷ジョブ定義データが前記利
用環境情報に適しているかどうかを評価する際の基準となる情報評価情報データベースを
有することにより、コンピュータにより自動的に評価することができ、従って、客観的な
評価をすることができるという効果が得られる。
【００３５】
〔形態２８〕  形態２８の発明は、形態２７の印刷システムに係り、
前記利用環境一致度評価部は、前記印刷ジョブ定義データが前記利用環境情報に適して
いると評価する場合の閾値を予め定め、前記閾値以上の場合に印刷を実行すると判断する
ことを特徴とする。
この構成によれば、前記利用環境一致度評価部は、前記印刷ジョブ定義データが前記利
用環境情報に適していると評価する場合の閾値を予め定め、前記閾値以上の場合に印刷を
実行すると判断するので、印刷物の利用環境に応じていない印刷設定を行うことはなく、
適正な判断をすることができるという効果が得られる。
【００３６】
〔形態２９〕  形態２９の発明は、形態２６の印刷システムに係り、
前記利用環境情報検知部は、印刷物を利用する場所に配置されたセンサー装置、測定機
器、又はカメラであることを特徴とする。
この構成によれば、前記利用環境情報検知部は、印刷物を利用する場所に配置されたセ
ンサー装置、測定機器、又はカメラであるので、センサー装置又は測定機器を使用する場
合は、そのまま感知あるいは測定したデータを無線通信を介して利用環境情報取得部に送
信することができ、カメラを使用した場合は、その画像を無線通信を介して利用環境情報
取得部に送信することができ、利用環境情報取得部では、リアルタイムに利用環境情報を
取得できるという効果が得られる。
【００３７】
〔形態３０〕  形態３０の発明は、形態２９の印刷システムに係り、
前記センサー装置は、温度センサー、湿度センサー、照度センサー、又は磁気センサー
であることを特徴とする。
この構成によれば、形態２９と同様の効果が得られる。
〔形態３１〕  形態３１の発明は、形態２９の印刷システムに係り、
前記測定機器は、色度計、気圧計、風力計、風速計、電圧計、又は電流計であることを
特徴とする。
この構成によれば、形態２９と同様の効果が得られる。
【００３８】
〔形態３２〕  形態３２の発明は、形態２５〜３１のいずれか１の印刷システムに係り
、
前記利用環境一致度評価部が、前記印刷ジョブ定義データが利用環境情報に適していな
いと判断した場合に、その判断結果を前記ユーザに提示して通知するユーザ提示部をさら
に備えたことを特徴とする。
この構成によれば、前記利用環境一致度評価部が、前記印刷ジョブ定義データが利用環
境情報に適していないと判断した場合に、ユーザ提示部がその判断結果を前記ユーザに提
示して通知することにより、ユーザ側にすれば、要求したコンテンツが印刷されないとい
う不測の事態を防ぐことができるという効果が得られる。
【００３９】
〔形態３３〕  上記目的を達成するために、形態３３の印刷方法は、
ユーザから送信される印刷データに含まれる印刷ジョブ定義データを取得する印刷ジョ
ブ定義データ取得ステップと、
印刷物を利用する場所の環境に関する利用環境情報を取得する利用環境情報取得ステッ
プと、
前記印刷ジョブ定義データ取得部により取得した印刷ジョブ定義データが、前記利用環
境情報取得部により取得した利用環境情報に適しているか否かを評価する利用環境一致度
評価ステップと、
前記利用環境一致度評価部による評価結果に基づいて、印刷を実行すると判断した場合
に、前記印刷ジョブ定義データを出力する印刷ジョブ定義データ出力ステップと、
前記印刷ジョブ定義データ出力ステップより出力された印刷ジョブ定義データに基づい
て印刷を実行する印刷ステップと、を含むことを特徴とする。
【００４０】
この構成によれば、利用環境情報取得ステップが、印刷物を利用する場所の環境に関す
る利用環境情報を取得し、利用環境一致度評価ステップが、前記印刷ジョブ定義データ取
得ステップにより取得した印刷ジョブ定義データが、前記利用環境情報取得ステップによ
り取得した利用環境情報に適しているか否かを評価し、前記利用環境一致度評価ステップ
による評価結果に基づいて、印刷を実行するか否かを判断するので、印刷物の利用環境に
応じた印刷設定を行うことができ、その利用環境に適応した耐性の優れた印刷物を生成す
ることができるという効果が得られる。
【００４１】
〔形態３４〕  形態３４の発明は、形態３３の印刷方法に係り、
前記印刷物を利用する場所に配置され、前記利用環境情報を検知し、無線通信を介して
当該利用環境情報を前記利用環境情報取得ステップに送る利用環境情報検知ステップを含
むことを特徴とする。
この構成によれば、利用環境情報検知ステップは、前記印刷物を利用する場所に配置さ
れ、前記利用環境情報を検知し、当該利用環境情報は前記利用環境情報検知ステップから
無線通信を介して当該利用環境情報を前記利用環境情報取得ステップに送るので、実際に
印刷物を利用する場所における利用環境情報を得ることができ、その利用環境にリアルタ
イムに適応した印刷物を生成することができるという効果が得られる。
【００４２】
〔形態３５〕  形態３５の発明は、形態３３の印刷方法に係り、
前記利用環境一致度評価ステップが前記印刷ジョブ定義データが前記利用環境情報に適
しているかどうかを評価する際の基準となる情報をデータベース化した評価情報データベ
ースを有することを特徴とする。
この構成によれば、前記利用環境一致度評価ステップが、前記印刷ジョブ定義データが
前記利用環境情報に適しているかどうかを評価する際の基準となる情報評価情報データベ
ースを有することにより、コンピュータにより自動的に評価することができ、従って、客
観的な評価をすることができるという効果が得られる。
【００４３】
〔形態３６〕  形態３６の発明は、形態３５の印刷方法に係り、
前記利用環境一致度評価ステップは、前記印刷ジョブ定義データが前記利用環境情報に
適していると評価する場合の閾値を予め定め、前記閾値以上の場合に印刷を実行すると判
断することを特徴とする。
この構成によれば、前記利用環境一致度評価ステップは、前記印刷ジョブ定義データが
前記利用環境情報に適していると評価する場合の閾値を予め定め、前記閾値以上の場合に
印刷を実行すると判断するので、印刷物の利用環境に応じていない印刷設定を行うことは
なく、適正な判断をすることができるという効果が得られる。
【００４４】
〔形態３７〕  形態３７の発明は、形態３４の印刷方法に係り、
前記利用環境情報検知ステップは、印刷物を利用する場所に配置されたセンサー装置、
測定機器、又はカメラを用いることを特徴とする。
この構成によれば、前記利用環境情報検知ステップは、印刷物を利用する場所に配置さ
れたセンサー装置、測定機器、又はカメラを用いるので、センサー装置又は測定機器を使
用する場合は、そのまま感知あるいは測定したデータを無線通信を介して利用環境情報取
得ステップに送信することができ、カメラを使用した場合は、その画像を無線通信を介し
て利用環境情報取得ステップに送信することができ、利用環境情報取得ステップでは、リ
アルタイムに利用環境情報を取得できるという効果が得られる。
【００４５】
〔形態３８〕  形態３８の発明は、形態３７の印刷方法に係り、
前記センサー装置は、温度センサー、湿度センサー、照度センサー、又は磁気センサー
であることを特徴とする。
この構成によれば、形態３７と同様の効果が得られる。
〔形態３９〕  形態３９の発明は、形態３７の印刷方法に係り、
前記測定機器は、色度計、気圧計、風力計、風速計、電圧計、又は電流計であることを
特徴とする。
この構成によれば、形態３７と同様の効果が得られる。
【００４６】
〔形態４０〕  形態４０の発明は、形態３３〜３９のいずれか１の印刷方法に係り、
前記利用環境一致度評価ステップが、前記印刷ジョブ定義データが利用環境情報に適し
ていないと判断した場合に、その判断結果を前記ユーザに提示して通知するユーザ提示ス
テップをさらに備えたことを特徴とする。
この構成によれば、前記利用環境一致度評価ステップが、前記印刷ジョブ定義データが
利用環境情報に適していないと判断した場合に、ユーザ提示ステップがその判断結果を前
記ユーザに提示して通知することにより、ユーザ側にすれば、要求したコンテンツが印刷
されないという不測の事態を防ぐことができるという効果が得られる。
【００４７】
〔形態４１〕  上記目的を達成するために、形態４１の印刷プログラムは、
ユーザから送信される印刷データに含まれる印刷ジョブ定義データを取得する印刷ジョ
ブ定義データ取得ステップ、
印刷物を利用する場所の環境に関する利用環境情報を取得する利用環境情報取得ステッ
プ、
前記印刷ジョブ定義データ取得部により取得した印刷ジョブ定義データが、前記利用環
境情報取得部により取得した利用環境情報に適しているか否かを評価する利用環境一致度
評価ステップ、
前記利用環境一致度評価部による評価結果に基づいて、印刷を実行すると判断した場合
に、前記印刷ジョブ定義データを出力する印刷ジョブ定義データ出力ステップ、及び
前記印刷ジョブ定義データ出力ステップより出力された印刷ジョブ定義データに基づい
て印刷を実行する印刷ステップとして実現される処理をコンピュータに実行させることを
特徴とする。
【００４８】
この構成によれば、利用環境情報取得ステップが、印刷物を利用する場所の環境に関す
る利用環境情報を取得し、利用環境一致度評価ステップが、前記印刷ジョブ定義データ取
得ステップにより取得した印刷ジョブ定義データが、前記利用環境情報取得ステップによ
り取得した利用環境情報に適しているか否かを評価し、前記利用環境一致度評価ステップ
による評価結果に基づいて、印刷を実行するか否かを判断するので、印刷物の利用環境に
応じた印刷設定を行うことができ、その利用環境に適応した耐性の優れた印刷物を生成す
ることができるという効果が得られる。
【００４９】
〔形態４２〕  形態４２の発明は、形態４１の印刷プログラムに係り、
前記印刷物を利用する場所に配置され、前記利用環境情報を検知し、無線通信を介して
当該利用環境情報を前記利用環境情報取得ステップに送る利用環境情報検知ステップを含
むことを特徴とする。
この構成によれば、利用環境情報検知ステップは、前記印刷物を利用する場所に配置さ
れ、前記利用環境情報を検知し、当該利用環境情報は前記利用環境情報検知ステップから
無線通信を介して当該利用環境情報を前記利用環境情報取得ステップに送るので、実際に
印刷物を利用する場所における利用環境情報を得ることができ、その利用環境にリアルタ
イムに適応した印刷物を生成することができるという効果が得られる。
【００５０】
〔形態４３〕  形態４３の発明は、形態４１の印刷プログラムに係り、
前記利用環境一致度評価ステップが前記印刷ジョブ定義データが前記利用環境情報に適
しているかどうかを評価する際の基準となる情報をデータベース化した評価情報データベ
ースを有することを特徴とする。
この構成によれば、前記利用環境一致度評価ステップが、前記印刷ジョブ定義データが
前記利用環境情報に適しているかどうかを評価する際の基準となる情報評価情報データベ
ースを有することにより、コンピュータにより自動的に評価することができ、従って、客
観的な評価をすることができるという効果が得られる。
【００５１】
〔形態４４〕  形態４４の発明は、形態４３の印刷プログラムに係り、
前記利用環境一致度評価ステップは、前記印刷ジョブ定義データが前記利用環境情報に
適していると評価する場合の閾値を予め定め、前記閾値以上の場合、印刷を実行すると判
断することを特徴とする。
この構成によれば、前記利用環境一致度評価ステップは、前記印刷ジョブ定義データが
前記利用環境情報に適していると評価する場合の閾値を予め定め、前記閾値以上の場合に
印刷を実行すると判断するので、印刷物の利用環境に応じていない印刷設定を行うことは
なく、適正な判断をすることができるという効果が得られる。
【００５２】
〔形態４５〕  形態４５の発明は、形態４２の印刷プログラムに係り、
前記利用環境情報検知ステップは、印刷物を利用する場所に配置されたセンサー装置、
測定機器、又はカメラを用いることを特徴とする。
この構成によれば、前記利用環境情報検知ステップは、印刷物を利用する場所に配置さ
れたセンサー装置、測定機器、又はカメラを用いるので、センサー装置又は測定機器を使
用する場合は、そのまま感知あるいは測定したデータを無線通信を介して利用環境情報取
得ステップに送信することができ、カメラを使用した場合は、その画像を無線通信を介し
て利用環境情報取得ステップに送信することができ、利用環境情報取得ステップでは、リ
アルタイムに利用環境情報を取得できるという効果が得られる。
【００５３】
〔形態４６〕  形態４６の発明は、形態４５の印刷プログラムに係り、
前記センサー装置は、温度センサー、湿度センサー、照度センサー、又は磁気センサー
であることを特徴とする。
この構成によれば、形態４５と同様の効果が得られる。
〔形態４７〕  形態４７の発明は、形態４５の印刷プログラムに係り、
前記測定機器は、色度計、気圧計、風力計、風速計、電圧計、又は電流計であることを
特徴とする。
この構成によれば、形態４５と同様の効果が得られる。
【００５４】
〔形態４８〕  形態４８の発明は、形態４１〜４７のいずれか１の印刷プログラムに係
り、
前記利用環境一致度評価ステップが、前記印刷ジョブ定義データが利用環境情報に適し
ていないと判断した場合に、その判断結果を前記ユーザに提示して通知するユーザ提示ス
テップをさらに備えたことを特徴とする。
この構成によれば、前記利用環境一致度評価ステップが、前記印刷ジョブ定義データが
利用環境情報に適していないと判断した場合に、ユーザ提示ステップがその判断結果を前
記ユーザに提示して通知することにより、ユーザ側にすれば、要求したコンテンツが印刷
されないという不測の事態を防ぐことができるという効果が得られる。
【００５５】
〔形態４９〕  形態４９の記録媒体は、形態１７〜２４のいずれか１に記載の印刷支援
プログラム、又は形態４１〜４８のいずれか１に記載の印刷プログラムを記録したコンピ
ュータ読み取り可能な記録媒体である。
【発明を実施するための最良の形態】
【００５６】
以下、本発明の実施形態について詳細に説明する。なお、この印刷支援システムは、印
刷部を備えた印刷システムとしても適用でき、また、この印刷支援システムの各部の機能
を有する各々の装置の組合せとしても適用できる。
図１は、本発明の第１実施形態に係る印刷支援システムの構成を示すブロック図である
。
【００５７】
この印刷支援システム１は、印刷ジョブ定義データ取得部１１と、利用環境情報取得部
１２と、利用環境情報検知部１３と、利用環境一致度評価部１４と、ユーザ提示部１５と
、評価情報データベース１６と、印刷ジョブ定義データ出力部１７とを備える。
印刷ジョブ定義データ取得部１１は、ユーザがパーソナルコンピュータなどを用いて要
求した印刷データに含まれるコンテンツデータ及び印刷ジョブ定義データのうち印刷ジョ
ブ定義データを抽出して取得する。
利用環境情報取得部１２は、利用環境情報検知部１３から送られてくる印刷物を利用す
るときの利用環境情報、例えば、印刷物を利用する予定の場所又は利用する時間などを示
した利用環境情報を取得する。
【００５８】
利用環境情報検知部１３は、利用環境情報取得部１２と無線通信を介して接続され、実
際に印刷物が使用される予定の場所に配置され、その利用環境を検知する装置である。利
用環境情報検知部１３の例としては、種々のセンサー装置、種々の測定機器、種々のカメ
ラなどが挙げられるが、これらに限定されるものではない。また、利用環境情報取得部１
２の遠隔に配置される場合が多いので、インターネット等のネットワークを含む無線通信
を介して接続される。さらに、センサー装置の種類としては、例えば、温度センサー、湿
度センサー、照度センサー、磁気センサー、又は触覚センサーなど種々の装置を用いるこ
とができる。また、測定機器の種類としては、色度計、温度計、気圧計、風力計、風速計
、電流計など種々の装置を用いることができる。また、カメラの種類としては、防犯カメ
ラ、Ｗｅｂカメラ、マップカメラ、監視カメラ、ＣＣＤカメラ、無線式カメラ、暗視カメ
ラなど種々のカメラを用いることができる。
【００５９】
利用環境一致度評価部１４は、印刷ジョブ定義データ取得部１１にて取得された印刷ジ
ョブ定義データと、利用環境情報取得部１２にて取得された利用環境情報とを取り込み、
それらを比較して、印刷ジョブ定義データによる印刷設定が利用環境に対してどれだけ適
しているかを評価する。評価の方法は、印刷設定が利用環境に適応する度合いを示す値と
して予め閾値を設定し、この閾値以下であればそのまま出力することとし、閾値を超えて
いるならば、ユーザに対して警告を発したり、出力を抑制したりする。
【００６０】
評価情報データベース１６は、利用環境一致度評価部１４における評価の際に参照でき
るように、印刷ジョブ定義データによる印刷設定と利用環境情報とを対応させたテーブル
などを格納している。そして、印刷設定が利用環境に適応する度合いを評価する。
ユーザ提示部１５は、利用環境一致度評価部１４における評価結果が適応しないと評価
した場合に、直ちにユーザに対して警告を発したり、出力を抑制したりするのではなく、
一度、ユーザにその適応する度合いを確認してもらい、ユーザの許容範囲内であれば、そ
のまま出力できるようにしたものである。
【００６１】
印刷ジョブ定義データ出力部１７は、利用環境一致殿評価後に印刷ジョブ定義データを
出力するが、出力先は、本実施形態は、印刷支援システムであるので、印刷制御装置又は
印刷装置に出力することとなる。印刷制御装置に出力する場合は、この印刷ジョブ定義デ
ータに基づいて印刷装置用の印刷ジョブ設定データを生成し、印刷装置に印刷ジョブ設定
データを送ることになる。また、印刷装置に出力する場合は、印刷装置内で印刷ジョブ設
定データを生成した後、印刷することになる。
【００６２】
この構成によれば、利用環境情報検知部１３が、印刷物を利用する場所に配置され、当
該利用する場所の環境に関する利用環境情報を検知すると、利用環境情報取得部１２が、
利用環境情報検知部１３により検知された利用環境情報を無線通信を介して取得し、利用
環境一致度評価部１４が、印刷ジョブ定義データ取得部１１により取得した印刷ジョブ定
義データが、利用環境情報取得部１２により取得した利用環境情報に適しているか否かを
評価し、利用環境一致度評価部１４による評価結果に基づいて、印刷を実行するか否かを
判断するので、印刷物の利用環境に応じた印刷設定を行うことができ、その利用環境に適
応した耐性の優れた印刷物を生成することができる。
【００６３】
また、利用環境一致度評価部１４が、印刷ジョブ定義データが利用環境情報に適してい
るかどうかを評価する際の基準となる情報評価情報データベース１６を有することにより
、コンピュータにより自動的に評価することができ、従って、客観的な評価をすることが
できる。
また、利用環境情報検知部１３は、印刷物を利用する場所に配置されたセンサー装置、
測定機器、又はカメラであるので、センサー装置又は測定機器を使用する場合は、そのま
ま感知あるいは測定したデータを無線通信を介して利用環境情報取得部１２に送信するこ
とができ、カメラを使用した場合は、その画像を無線通信を介して利用環境情報取得部１
２に送信することができ、利用環境情報取得部１２では、リアルタイムに利用環境情報を
取得できる。
【００６４】
図２は、コンピュータシステムのハードウェア構成を示す機能ブロック図である。
ここで、この印刷支援システム１は、印刷ジョブ定義データ取得部１１、利用環境情報
取得部１２、利用環境情報検知部１３、利用環境一致度評価部１４、ユーザ提示部１５、
評価情報データベース１６、印刷ジョブ定義データ出力部１７などをソフトウェア上で実
現するためのコンピュータシステムを備えており、そのハードウェア構成は、図２に示す
ように、各種制御や演算処理を担う中央演算処理装置であるＣＰＵ（Ｃｅｎｔｒａｌ  Ｐ
ｒｏｃｅｓｓｉｎｇ  Ｕｎｉｔ）６０と、主記憶装置（Ｍａｉｎ  Ｓｔｏｒａｇｅ）を構
成するＲＡＭ（Ｒａｎｄｏｍ  Ａｃｃｅｓｓ  Ｍｅｍｏｒｙ）６２と、読み出し専用の記
憶装置であるＲＯＭ（Ｒｅａｄ  Ｏｎｌｙ  Ｍｅｍｏｒｙ）６４との間をＰＣＩ（Ｐｅｒ
ｉｐｈｅｒａｌ  Ｃｏｍｐｏｎｅｎｔ  Ｉｎｔｅｒｃｏｎｎｅｃｔ）バスやＩＳＡ（Ｉｎ
ｄｕｓｔｒｉａｌ  Ｓｔａｎｄａｒｄ  Ａｒｃｈｉｔｅｃｔｕｒｅ）バス等からなる各種
内外バス６８で接続すると共に、このバス６８に入出力インターフェース（Ｉ／Ｆ）６６
を介して、ＨＤＤ（Ｈａｒｄ  Ｄｉｓｋ  Ｄｒｉｖｅ）などの外部記憶装置（Ｓｅｃｏｎ
ｄａｒｙ  Ｓｔｏｒａｇｅ）７０や、印刷手段やＣＲＴ、ＬＣＤモニター等の出力装置７
２、操作パネルやマウス、キーボード、スキャナなどの入力装置７４、および図示しない
印刷指示装置などと通信するためのネットワークＬなどを接続したものである。
【００６５】
そして、電源を投入すると、ＲＯＭ６４等に記憶されたＢＩＯＳ等のシステムプログラ
ムが、ＲＯＭ６４に予め記憶された各種専用のコンピュータプログラム、あるいは、ＣＤ
−ＲＯＭやＤＶＤ−ＲＯＭ、フレキシブルディスク（ＦＤ）などの記憶媒体を介して、ま
たはインターネットなどの通信ネットワークＬを介して記憶装置７０にインストールされ
た各種専用のコンピュータプログラムを同じくＲＡＭ６２にロードし、そのＲＡＭ６２に
ロードされたプログラムに記述された命令に従ってＣＰＵ６０が各種リソースを駆使して
所定の制御および演算処理を行うことで前述したような各手段の各機能をソフトウェア上
で実現できるようになっている。
【００６６】
図３は、本発明の実施形態に係る印刷支援システムにおける処理の流れを示すフローチ
ャートである。
まず、ステップＳ１０１にて印刷支援プログラムを起動させると、ステップＳ１０２に
おいて、ユーザがパーソナルコンピュータなどのクライアント装置を用いて送出する印刷
ジョブ定義データの入力を行う。次に、ステップＳ１０３において、印刷物を利用する場
所に予め配置されている利用環境情報検知部１３が、その時刻、その場所における利用環
境情報を検知し、その検知結果を利用環境情報取得部１２が無線通信を介して受け取る。
【００６７】
次に利用環境情報は、利用環境情報取得部１２から利用環境一致度評価部１４に渡され
、ステップＳ１０４において、利用環境情報一致度評価部１４は、印刷ジョブ定義データ
取得部１１にて取得された印刷ジョブ定義データと、利用環境情報取得部１２にて取得さ
れた利用環境情報とに基づいて、評価情報データベースに格納されている評価情報を参照
して利用環境の一致度を算出する。そして、ステップＳ１０５において、その一致度が予
め定められた閾値を未満か否かを判別する。閾値未満の場合は、ユーザ掲示部１５に送り
、警告を表示し、閾値以上の場合は、ステップＳ１０６においてそのまま印刷を実行して
、ステップＳ１０８において、終了する。
このように、利用環境一致度評価部１４は、印刷ジョブ定義データが利用環境情報に適
していると評価する場合の閾値を予め定め、閾値以上の場合に印刷を実行すると判断する
ので、印刷物の利用環境に応じていない印刷設定を行うことはなく、適正な判断をするこ
とができる。
【００６８】
図４は、評価情報データベースに格納される印刷ジョブ定義データの一例を示す図であ
る。
「設定ＮＯ」とは、印刷ジョブ定義データに記述されている印刷設定の順番を示し、こ
こでは、０，１，２，３，４、・・・と番号が付されている。「用紙種類」は、用紙の使
用目的などに応じた用紙の種類で、ここでは、普通紙、ＯＨＰが例として挙げられている
が、その他、厚口、色紙、トレーシングペーパ、コート紙、フォト光沢紙など種々の種類
がある。「インク」は使用するインクの種類で、ここでは、染料、顔料が挙げられている
。「後工程」は、印刷後の後処理のことで、ここでは、ラミネートが挙げられているが、
その他、用紙の折り方および用紙の裁断方法、綴じ位置、綴じ方、両面印刷方法などが含
まれる。
【００６９】
ここで、上述した項目のうち、「インク」の種類は、利用環境評価部１４における重要
な要素となるので、特に、以下に説明を加えることとする。
インクジェットプリンターのインクの種類には染料と顔料があり、それぞれインクの溶
かし方によって水性、油性、溶剤性とソリッドインクがあるが、ソリッドインク以外は溶
媒を使っている。現在、インクジェットプリンターのインクはヘッドのノズルの目詰まり
問題に対する信頼性が高いことから、水溶性（水性）染料インクが主流となっている。
【００７０】
この水性染料は、画質の高さには優るが、耐水性や耐光性に劣るという問題があり、こ
のことから水性染料インクは、屋内に使用される印刷物に多く用いられる。それに対し水
性顔料は、水に対する分散方法やノズルの目詰まりなどの問題から実用化に遅れていたが
、優れた耐光性、耐水性を生かして屋外での使用が多くなり、より大きな印刷物を必要と
され、ワイドフォーマット（大型）インクジェットプリンターでは広く使われている。
【００７１】
いずれにしても水性インクジェットプリンターで美しく印刷するためには印刷材料であ
るメディア自体の表面にインクを受け止めるインク受理層が必要で、基材（紙、フィルム
、布地など）自体に受理層をコーティングする必要がある。コーティング材料としては、
小さな穴がたくさんある（多孔質）シリカゲルのような、多孔質シリカが一般的によく用
いられている。インクジェットインクはシリカの細孔に浸透しながら定着し、インクの吸
収はコート層が十分に厚いと滲みのない高画質な画像が得られる。 しかしながら、この
インク受理層そのものが色々なトラブルの原因となっている。インク受理層はインクを吸
収すると同時に水や浮遊物（タバコの煙りなど）も吸収しやすく黄ばみの原因となり、ま
たラミネートフィルムとの間に水を侵入させ剥離しやすくなったりする。
【００７２】
溶剤性のインクジェットプリンターと水性インクジェットプリンターとの決定的な違い
はインク受理層を必要としないことにある。これはインクを定着させる方法が水性とは全
く違い基材そのものを溶剤で溶かしながら定着させているからで、インク受理層を必要と
しない分メディアが安価でインク受理層の引き起こすトラブルも少ない。しかし、逆に溶
かせない基材には印刷できないと言うことになるが、現在のところそれ以外には印字面が
塩化ビニル（PVC）がそのほとんどで、なかにはポリオレヒィン系のものもある。しかし
、溶剤性インクジェットプリンターの出現は耐水性や耐光性が水性に対して飛躍的に向上
しており看板などの屋外使用に関しては圧倒的な有利性を持っていると言える。
【００７３】
図５は、印刷ジョブ定義データの入力方法を示す図である。
図４では既に複数の印刷ジョブ定義データが入力されているが、例えば、印刷ジョブ定
義データを入力する場合、図５に示すような言語を用いて表現することができる。
印刷ジョブ定義のことをジョブチケットと称し、＜ジョブチケット＞〜＜／ジョブチケ
ット＞の間に＜用紙サイズ＞として「Ａ４」、＜用紙種類＞として「普通紙」、＜ファイ
ル＞として「ｆｉｌｅ：／／／ｃ：／ｆｏｏ／ｂａｒ．ｐｄｆ」、＜プリンタ＞として「
プリンタＡ」、＜インク＞として「染料」、＜後工程＞として「なし」と表現する。すな
わち、これは図４のＮＯ．０を表現したものであり、同様にして、＜用紙サイズ＞として
「Ａ４」、＜用紙種類＞として「普通紙」、＜ファイル＞として「ｆｉｌｅ：／／／ｃ：
／ｆｏｏ／ｂａｒ．ｐｄｆ」、＜プリンタ＞として「プリンタＡ」、＜インク＞として「
顔料」、＜後工程＞として「なし」がＮＯ．１であり、＜用紙サイズ＞として「Ａ４」、
＜用紙種類＞として「ＯＨＰ」、＜ファイル＞として「ｆｉｌｅ：／／／ｃ：／ｆｏｏ／
ｂａｒ．ｐｄｆ」、＜プリンタ＞として「プリンタＡ」、＜インク＞として「染料」、＜
後工程＞として「なし」がＮＯ．２を表現している。ＮＯ．３、ＮＯ．４についても同様
であるので省略する。
【００７４】
図６は、評価情報データベースに格納される利用環境情報の評価値の一例を示す図であ
る。
この例では、「屋内／屋外／天候」によって、評価値０〜４が付されている。使用方法
は、まず、気圧計やカメラなどの利用環境情報検知部１３により、印刷物を利用する場所
の天候の情報を取得する。天候の情報が得られると、同図の該当するＮＯと照合して評価
値を取得する。例えば、図４に示した設定ＮＯ．０の場合は、屋内であれば評価値は「３
」、屋外であれば評価値は「０」、天候が晴れであれば評価値は「３」。天候が雨であれ
ば評価値は「０」、となる。また同様に、設定ＮＯ．１とＮＯ．２の場合は、屋内であれ
ば評価値は「３」、屋外であれば評価値は「１」、天候が晴れであれば評価値は「３」。
天候が雨であれば評価値は「０」、となる。また同様に、設定ＮＯ．３の場合は、屋内で
あれば評価値は「３」、屋外であれば評価値は「３」、天候が晴れであれば評価値は「３
」。天候が雨であれば評価値は「３」、となる。また同様に、設定ＮＯ．４の場合は、屋
内であれば評価値は「３」、屋外であれば評価値は「４」、天候が晴れであれば評価値は
「３」。天候が雨であれば評価値は「４」、と評価値が設定されている。
【００７５】
図７は、評価結果の表示方法の一例を示す図である。
上述した評価値の判定方法として閾値を「３以上」と設定すれば、「屋内」、「晴れ」
の場合は、いずれの設定ＮＯ．であっても利用できるが、逆に、「屋外」、「雨」の場合
は、設定ＮＯ．３及びＮＯ．４は利用できるが、ＮＯ．０〜ＮＯ．２は、閾値に満たない
ため、利用できないこととなる。この場合、図６に示すように、ユーザに対して警告を表
示したりする。この警告は、「印刷設定が利用環境に適していません」とのみの警告であ
るが、より詳細に、例えば、「印刷設定が、利用環境の天候に対して全く適していません
」、あるいは「印刷設定が、利用環境の天候に対して評価値０です」などと表示すること
ができる。
【００７６】
表示方法は、通常は、ディスプレイに警告ダイアグラムとして表示するが、ユーザが印
刷ジョブ定義データを入力した場合のユーザが使用しているディスプレイに表示するよう
にしても良い。
これにより、利用環境一致度評価部１４が、印刷ジョブ定義データが利用環境情報に適
していないと判断した場合に、ユーザ提示部１５がその判断結果をユーザに提示して通知
することにより、ユーザ側にすれば、要求したコンテンツが印刷されないという不測の事
態を防ぐことができる。
【００７７】
次に、本発明の実施形態に係る印刷支援システムにおいて照明情報を用いた場合につい
て説明する。
図８は、利用環境情報検知部１３として、照度計又は色度計などから照明情報を取得し
、照明下で使用した場合のインクの見易さ、色の再現性などを示した評価表を作成するこ
ととする。
【００７８】
同図には、「染料インク０」、「染料インク１」の２種類のインクが用いられ、それぞ
れ、利用環境が「太陽光」、「白熱光」、「ナトリウム光」であった場合の評価値を示し
ている。すなわち、この例では、光源の種類による照明の違いに基づいて、各光源に対応
した評価値を与えている。
例えば、閾値を「３」とした場合、染料インク０の場合は、太陽光での評価値が「３」
、白熱光での評価値が「３」、ナトリウム光での評価値が「０」と評価されているので、
ナトリウム光以外ではそのまま印刷可能であり、ナトリウム光であれば、図７に示したよ
うな警告を発するようになる。
【００７９】
但し、光源は、一般には、屋外では太陽光、屋内では蛍光灯や白熱灯が主たるものであ
るが、一概に太陽光と言っても、太陽が真上にある場合、地球の公転軌道上にある場合、
天頂角６０度の場合など、様々な照度があるし、蛍光灯にしても、昼光色、白色、昼白色
など様々であるし、さらに、放電ランプにしても、水銀灯、ナトリウムランプ、キセノン
ランプなど様々な照度が考えられる。従って、この照明情報を用いて評価する場合、さら
に、時刻、天候などをその要素に含めることが好ましい。
【００８０】
なお、印刷ジョブ定義データの入力は、＜ジョブチケット＞〜＜／ジョブチケット＞の
間に＜インク＞が染料インク０であることを明示したジョブチケットを作成して、図８に
順次当てはめて用いることができる。
また、他の実施例として、利用環境が風力が強い場合は、利用環境情報検知部１３とし
て風力計を用いて風力を求め、用紙の種類が厚手のものに対しては評価値を高く設定する
ことができ、同様に、利用環境の湿度が高い場合は、利用環境情報検知部１３として湿度
計を用いて湿度を求め、用紙の種類が耐水性の高いものに対しては評価値を高く設定する
ことができる。
【００８１】
また、他の実施例として、利用環境情報検知部１３として、カメラを用い、カメラの撮
像画像から天候情報や照明情報などを取得して利用環境情報として利用することもでき、
さらには、種々の利用環境情報検知部１３を組み合わせて利用環境情報を細かく検知して
、り正確な情報を取得することもできる。
また、上述した利用環境情報検知部１３以外に、通常使用している携帯電話機をセンサ
ー装置として使用したり、カメラとして使用したりすることもできる。
【００８２】
なお、上記実施形態において、図３のフローチャートに示す処理を実行するにあたって
は、ＲＯＭに予め格納されている制御プログラムを実行する場合について説明したが、こ
れに限らず、これらの手順を示したプログラムが記録された記憶媒体から、そのプログラ
ムをＲＡＭに組み込んで実行するようにしても良い。あるいは、そのプログラムをネット
ワークから取得しても良い。
【００８３】
ここで、記憶媒体とは、ＲＡＭ、ＲＯＭ等の半導体記憶媒体、ＦＤ、ＨＤ等の磁気記憶
型記憶媒体、ＣＤ、ＣＤＶ、ＬＤ、ＤＶＤ等の光学的読取方式記憶媒体、ＭＯ等の磁気記
憶型／光学的読取方式記憶媒体であって、電子的、磁気的、光学的等の読み取り方法のい
かんにかかわらず、コンピュータで読み取り可能な記憶媒体であれば、あらゆる記憶媒体
を含むものである。
【００８４】
以上、本発明の実施形態について説明してきたが、本発明は、上記実施形態に限定され
ることなく、本発明の趣旨を逸脱することなく、種々の変更が可能である。
また、本実施形態では、利用環境情報取得部１２と利用環境情報検知部１３とは、ネッ
トワークなどを介した無線通信により接続されているとしたが、これに限定されず、デー
タの受け渡しは、ＣＤ−ＲＯＭ、ＤＶＤ−ＲＡＭ、ＵＳＢメモリのような外部記憶メディ
アを用いても良い。
【００８５】
また、本実施形態では、利用環境一致度評価１４において、閾値を用いて印刷ジョブ定
義データと利用環境情報とを評価するように構成したが、これに限定されず、評価情報デ
ータベース１６の中の情報にフラグを付加して、評価するように構成することもできるし
、評価度を種々の段階に区分けしてその時間、その場所に応じて閾値を選択できるように
構成することもできる。
また、本実施形態では、ユーザ提示部１５を設けてユーザに選択させる構成について説
明したが、これに限定されず、利用環境一致度評価部１４の評価結果に応じて自動的に印
刷ジョブ定義データ出力部１７にて出力するか出力しないかを判断するように構成するこ
ともできる。
【００８６】
また、本実施形態では、利用環境情報を取得するために、測定機器、カメラ、センサー
装置などを用いることを挙げたが、これらに限定されることなく、種々の方法により利用
環境情報を取得できるものとする。
また、本実施形態では、利用環境一致度評価部１４とは別に、評価情報データベースを
設けたが、これに限定されず、利用環境一致度評価部１４が評価用のテーブルを備えた構
成にすることもできる。
【図面の簡単な説明】
【００８７】
【図１】本発明の実施形態に係る印刷支援システムの構成を示すブロック図である。
【図２】コンピュータシステムのハードウェア構成を示す機能ブロック図である。
【図３】本発明の実施形態に係る印刷支援システムにおける処理の流れを示すフローチャートである。
【図４】印刷ジョブ定義データを表にした図である。
【図５】図４のＮＯ．１の印刷ジョブ定義データを示す図である。
【図６】利用環境情報の評価方法の一例を示す図である。
【図７】評価結果の表示方法の一例を示す図である。
【図８】利用環境情報の評価方法の他の一例を示す図である。
【符号の説明】
【００８８】
１…印刷支援システム、１１…印刷ジョブ定義データ取得部、１２…利用環境情報取得部
、１３…利用環境情報検知部、１４…利用環境一致度評価部、１５…ユーザ提示部、１６
…評価情報データベース、１７…印刷ジョブ定義データ出力部
【図１】
2008181449.tif 000003
【図２】
2008181449.tif 000004
【図３】
2008181449.tif 000005
【図４】
2008181449.tif 000006
【図５】
2008181449.tif 000007
【図６】
2008181449.tif 000008
【図７】
2008181449.tif 000009
【図８】
2008181449.tif 000010